(57)【要約】      （修正有）【課題】構造が簡単で、操作が便利であり、一定の範囲において好きなように首振りの速度を調節できるＵＳＢ卓上扇風機を提供する。【解決手段】卓上扇風機台１２を含み、前記卓上扇風機台の中にはＵＳＢ卓上扇風機の首振り速度をコントロールする速度コントロール機構６０とＵＳＢ卓上扇風機の首振り機能を実現する首振り機構６１が設けられ、前記速度コントロール機構と前記首振り機構との間がベルト４４の摩擦により伝動され、前記速度コントロール機構は、錐形ブロック３１の昇降によって摩擦ブロックを互いに近接させあるいは離れさせることができ、カム３５が回転する時には常に前記Ｕ型ブロック３２との接触導電を保持し、前記カムが一定の位置を回転すると前記金属ブロックとの回転により導電することができ、前記摩擦ブロックが互いに近接するあるいは離れる時に前記首振り機構を引いて左右に運動させる。【選択図】図１
2020176617.tif 000002
【特許請求の範囲】
【請求項１】
卓上扇風機台を含み、前記卓上扇風機台の中にはＵＳＢ卓上扇風機の首振り速度をコントロールする速度コントロール機構とＵＳＢ卓上扇風機の首振り機能を実現する首振り機構が設けられ、前記速度コントロール機構と前記首振り機構との間がベルトの摩擦により伝動され、前記速度コントロール機構はＵＳＢケーブル、錐形ブロックと六つの摩擦ブロックを含み、前記ＵＳＢケーブルが外部の電源に接続されて装置に電気を提供し、前記錐形ブロックの昇降によって前記摩擦ブロックを互いに近接させあるいは離れさせることができ、前記速度コントロール機構はカム、Ｕ型ブロックと金属ブロックも含み、前記カムが回転する時には常に前記Ｕ型ブロックとの接触導電を保持し、前記カムが一定の位置を回転すると前記金属ブロックとの回転により導電することができ、前記首振り機構は前記速度コントロール機構の左側に位置し、前記首振り機構は縦ロッド、首振り溝とファンを含み、前記縦ロッドが前記首振り溝の中の運動によって前記ファンを駆動し揺動させ、これにより首振り機能を実現し、前記摩擦ブロックが互いに近接するあるいは離れる時に前記首振り機構を引いて左右に運動させ、前記速度コントロール機構と前記首振り機構との距離がＵＳＢ卓上扇風機の首振り速度を決め、前記速度コントロール機構と前記首振り機構の中の風吹きモータと首振りモータの共同作用で本装置を作動させることを特徴とする自動首振り型ＵＳＢ卓上扇風機。
【請求項２】
前記速度コントロール機構は首振りモータを含み、前記卓上扇風機台の中には作業溝が設けられ、前記作業溝の下端壁には横溝が設けられ、前記横溝の下端壁には基盤が固定され、前記基盤の上端面には駆動軸を持つ首振りモータが固定され、前記駆動軸の上端には円形ブロックが固定され、前記円形ブロックの上端面には六つの弾性溝が設けられ、前記左側の弾性溝の左端壁には弾性バネが固定され、前記弾性バネの右端には前記弾性溝とスライドできるように連結されたＴ型ブロックが固定され、前記Ｔ型ブロックの上端が前記作業溝の中に位置し、かつ前記Ｔ型ブロックの上端には支えブロックが固定され、前記支えブロックの上端面には伝動軸が回転できるように設けられ、前記伝動軸の上端には摩擦ブロックが固定され、
前記作業溝の右端壁の中には切替溝が設けられ、前記切替溝の左端壁には金属ブロックが植設され、前記金属ブロックと前記首振りモータとがショート電線によって連通され、前記金属ブロックの上側には前記卓上扇風機台の中に植設されたＵ型ブロックが設けられ、前記切替溝の左端壁にはカムが回転できるように設けられ、前記カムの右端には右端が外部に位置する絶縁ロッドが固定され、前記Ｕ型ブロックの右端にはＵＳＢケーブルが固定され、前記作業溝が円柱溝によって外部と連通し、前記円柱溝の端壁には螺旋溝が設けられ、前記螺旋溝の中には弧形ブロックがスライドできるように設けられ、前記弧形ブロックの右端には円柱溝を貫通する昇降ロッドが固定され、前記昇降ロッドの下端には前記支えブロックの間に位置する錐形ブロックが固定され、また、前記弧形ブロックが前記螺旋溝の中の運動によって前記錐形ブロックを昇降連動させることができることを特徴とする請求項１に記載の自動首振り型ＵＳＢ卓上扇風機。
【請求項３】
前記首振り機構は移動軸を含み、前記横溝の中には移動ブロックがスライドできるように設けられ、前記移動ブロックと前記基盤との間が移動バネによって固定的に連結され、前記移動ブロックの上端面には移動軸が回転できるように設けられ、前記移動軸の上端にはベルトと右側の三つの摩擦ブロックの摩擦により伝動される伝動プーリーが固定され、前記作業溝の上端面には定位軸が回転できるように設けられ、前記定位軸の下端には定位ブロックが固定され、前記定位ブロックの左端面には風吹きモータが設けられ、前記風吹きモータと前記Ｕ型ブロックとがロング電線により連通し、前記風吹きモータの左端面にはファン軸が回転できるように設けられ、前記ファン軸には平行移動溝が設けられ、前記平行移動溝には環状ブロックがスライドできるように設けられ、前記環状ブロックの下端には支えロッドが固定され、前記支えロッドには運動溝が設けられ、前記運動溝には運動ブロックがスライドできるように設けられ、前記運動ブロックと前記移動ブロックとがＵ形ロッドによって固定し連結され、前記支えロッドの下端には溝ブロックが固定され、前記溝ブロックの中には首振り溝が設けられ、前記伝動プーリーの上端面には首振り溝を貫通する縦ロッドが設けられ、前記卓上扇風機台の左端面にはファンカバーが固定され、前記ファン軸の左端が前記ファンカバーの中に位置し、かつ前記ファン軸の左端には三つのファンが均一に固定され、また、前記縦ロッドが前記首振り溝の中の運動によって前記ファン軸を駆動し揺動させることができることを特徴とする請求項１に記載の自動首振り型ＵＳＢ卓上扇風機。
【発明の詳細な説明】
【技術分野】
【０００１】
本発明は小型家電製品分野を取り上げて、具体的には自動首振り型ＵＳＢ卓上扇風機である。
【背景技術】
【０００２】
ＵＳＢ卓上扇風機はＵＳＢ伝送技術を利用する携帯型扇風機であり、パソコンに挿して温度を下げることに使うことが多く、しかし現在のＵＳＢ卓上扇風機の首振りは一つのモードしかなく、デザインがユーザフレンドリーではなく、現在の高い生活品質への求めに適しない。
【先行技術文献】
【特許文献】
【０００３】
【特許文献１】中国特許出願公開第１０６５５５７６９号明細書
【発明の概要】
【発明が解決しようとする課題】
【０００４】
本発明の目的は自動首振り型ＵＳＢ卓上扇風機を提供し、それは上記の現在の技術中の問題を解決できる。
【課題を解決するための手段】
【０００５】
上記の課題を解決するため、本発明は以下の技術プランを採用する：自動首振り型ＵＳＢ卓上扇風機は、卓上扇風機台を含み、前記卓上扇風機台の中にはＵＳＢ卓上扇風機の首振り速度をコントロールする速度コントロール機構とＵＳＢ卓上扇風機の首振り機能を実現する首振り機構が設けられ、前記速度コントロール機構と前記首振り機構との間がベルトの摩擦により伝動され、前記速度コントロール機構はＵＳＢケーブル、錐形ブロックと六つの摩擦ブロックを含み、前記ＵＳＢケーブルが外部の電源に接続されて装置に電気を提供し、前記錐形ブロックの昇降によって前記摩擦ブロックを互いに近接させあるいは離れさせることができ、前記速度コントロール機構はカム、Ｕ型ブロックと金属ブロックも含み、前記カムが回転する時には常に前記Ｕ型ブロックとの接触導電を保持し、前記カムが一定の位置を回転すると前記金属ブロックとの回転により導電することができ、前記首振り機構は前記速度コントロール機構の左側に位置し、前記首振り機構は縦ロッド、首振り溝とファンを含み、前記縦ロッドが前記首振り溝の中の運動によって前記ファンを駆動し揺動させ、これにより首振り機能を実現し、前記摩擦ブロックが互いに近接するあるいは離れる時に前記首振り機構を引いて左右に運動させ、前記速度コントロール機構と前記首振り機構との距離がＵＳＢ卓上扇風機の首振り速度を決め、前記速度コントロール機構と前記首振り機構の中の風吹きモータと首振りモータの共同作用で本装置を作動させる。
【０００６】
優選の技術プランとして、前記速度コントロール機構は首振りモータを含み、前記卓上扇風機台の中には作業溝が設けられ、前記作業溝の下端壁には横溝が設けられ、前記横溝の下端壁には基盤が固定され、前記基盤の上端面には駆動軸を持つ首振りモータが固定され、前記駆動軸の上端には円形ブロックが固定され、前記円形ブロックの上端面には六つの弾性溝が設けられ、前記左側の弾性溝の左端壁には弾性バネが固定され、前記弾性バネの右端には前記弾性溝とスライドできるように連結されたＴ型ブロックが固定され、前記Ｔ型ブロックの上端が前記作業溝の中に位置し、かつ前記Ｔ型ブロックの上端には支えブロックが固定され、前記支えブロックの上端面には伝動軸が回転できるように設けられ、前記伝動軸の上端には摩擦ブロックが固定される。
【０００７】
前記作業溝の右端壁の中には切替溝が設けられ、前記切替溝の左端壁には金属ブロックが植設され、前記金属ブロックと前記首振りモータとがショート電線によって連通され、前記金属ブロックの上側には前記卓上扇風機台の中に植設されたＵ型ブロックが設けられ、前記切替溝の左端壁にはカムが回転できるように設けられ、前記カムの右端には右端が外部に位置する絶縁ロッドが固定され、前記Ｕ型ブロックの右端にはＵＳＢケーブルが固定され、前記作業溝が円柱溝によって外部と連通し、前記円柱溝の端壁には螺旋溝が設けられ、前記螺旋溝の中には弧形ブロックがスライドできるように設けられ、前記弧形ブロックの右端には円柱溝を貫通する昇降ロッドが固定され、前記昇降ロッドの下端には前記支えブロックの間に位置する錐形ブロックが固定され、また、前記弧形ブロックが前記螺旋溝の中の運動によって前記錐形ブロックを昇降連動させることができる。
【０００８】
優選の技術プランとして、前記首振り機構は移動軸を含み、前記横溝の中には移動ブロックがスライドできるように設けられ、前記移動ブロックと前記基盤との間が移動バネによって固定的に連結され、前記移動ブロックの上端面には移動軸が回転できるように設けられ、前記移動軸の上端にはベルトと右側の三つの摩擦ブロックの摩擦により伝動される伝動プーリーが固定され、前記作業溝の上端面には定位軸が回転できるように設けられ、前記定位軸の下端には定位ブロックが固定され、前記定位ブロックの左端面には風吹きモータが設けられ、前記風吹きモータと前記Ｕ型ブロックとがロング電線により連通し、前記風吹きモータの左端面にはファン軸が回転できるように設けられ、前記ファン軸には平行移動溝が設けられ、前記平行移動溝には環状ブロックがスライドできるように設けられ、前記環状ブロックの下端には支えロッドが固定され、前記支えロッドには運動溝が設けられ、前記運動溝には運動ブロックがスライドできるように設けられ、前記運動ブロックと前記移動ブロックとがＵ形ロッドによって固定し連結され、前記支えロッドの下端には溝ブロックが固定され、前記溝ブロックの中には首振り溝が設けられ、前記伝動プーリーの上端面には首振り溝を貫通する縦ロッドが設けられ、前記卓上扇風機台の左端面にはファンカバーが固定され、前記ファン軸の左端が前記ファンカバーの中に位置し、かつ前記ファン軸の左端には三つのファンが均一に固定され、また、前記縦ロッドが前記首振り溝の中の運動によって前記ファン軸を駆動し揺動させることができる。
【発明の効果】
【０００９】
本装置は構造が簡単で、操作が便利であり、ＵＳＢ卓上扇風機の基本的な風吹き機能と首振り機能を満足させることと同時に、一定の範囲において好きなように首振りの速度を調節でき、これにより使用者にとって一番快適な首振り速度を達することができ、装置が更にユーザフレンドリーになり、使用者の生活品質を向上させる。
【図面の簡単な説明】
【００１０】
以下、図１−４を合わせて本発明について詳しく説明し、また、説明の便利を図るため、下記に記載の上下左右前後方向が図１自身の投影関係の上下左右前後方向と一致することにする。
【００１１】
【図１】図１は本発明の自動首振り型ＵＳＢ卓上扇風機の全体断面正面構成略図
【図２】図２は本発明の自動首振り型ＵＳＢ卓上扇風機の円形ブロックの拡大構成略図
【図３】図３は図２のＡ−Ａの構成略図
【図４】図４は図１のＢ−Ｂの構成略図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
図１−４を参照し、本発明が提供する実施例：自動首振り型ＵＳＢ卓上扇風機は、卓上扇風機台１２を含み、前記卓上扇風機台１２の中にはＵＳＢ卓上扇風機の首振り速度をコントロールする速度コントロール機構６０とＵＳＢ卓上扇風機の首振り機能を実現する首振り機構６１が設けられ、前記速度コントロール機構６０と前記首振り機構６１との間がベルト４４の摩擦により伝動され、前記速度コントロール機構６０はＵＳＢケーブル３３、錐形ブロック３１と六つの摩擦ブロック５０を含み、前記ＵＳＢケーブル３３が外部の電源に接続されて装置に電気を提供し、前記錐形ブロック３１の昇降によって前記摩擦ブロック５０を互いに近接させあるいは離れさせることができ、前記速度コントロール機構６０はカム３５、Ｕ型ブロック３２と金属ブロック３７も含み、前記カム３５が回転する時には常に前記Ｕ型ブロック３２との接触導電を保持し、前記カム３５が一定の位置を回転すると前記金属ブロック３７との回転により導電することができ、前記首振り機構６１は前記速度コントロール機構６０の左側に位置し、前記首振り機構６１は縦ロッド１１、首振り溝４０とファン１７を含み、前記縦ロッド１１が前記首振り溝４０の中の運動によって前記ファン１７を駆動し揺動させ、これにより首振り機能を実現し、前記摩擦ブロック５０が互いに近接するあるいは離れる時に前記首振り機構６１を引いて左右に運動させ、前記速度コントロール機構６０と前記首振り機構６１との距離がＵＳＢ卓上扇風機の首振り速度を決め、前記速度コントロール機構６０と前記首振り機構６１の中の風吹きモータ２３と首振りモータ５１の共同作用で本装置を作動させる。
【００１４】
有益的には、前記速度コントロール機構６０は首振りモータ５１を含み、前記卓上扇風機台１２の中には作業溝１３が設けられ、前記作業溝１３の下端壁には横溝５４が設けられ、前記横溝５４の下端壁には基盤４５が固定され、前記基盤４５の上端面には駆動軸５２を持つ首振りモータ５１が固定され、前記駆動軸５２の上端には円形ブロック３９が固定され、前記円形ブロック３９の上端面には六つの弾性溝４７が設けられ、前記左側の弾性溝４７の左端壁には弾性バネ４６が固定され、前記弾性バネ４６の右端には前記弾性溝４７とスライドできるように連結されたＴ型ブロック５３が固定され、前記Ｔ型ブロック５３の上端が前記作業溝１３の中に位置し、かつ前記Ｔ型ブロック５３の上端には支えブロック４８が固定され、前記支えブロック４８の上端面には伝動軸４９が回転できるように設けられ、前記伝動軸４９の上端には摩擦ブロック５０が固定される。
【００１５】
前記作業溝１３の右端壁の中には切替溝３６が設けられ、前記切替溝３６の左端壁には金属ブロック３７が植設され、前記金属ブロック３７と前記首振りモータ５１とがショート電線３８によって連通され、前記金属ブロック３７の上側には前記卓上扇風機台１２の中に植設されたＵ型ブロック３２が設けられ、前記切替溝３６の左端壁にはカム３５が回転できるように設けられ、前記カム３５の右端には右端が外部に位置する絶縁ロッド３４が固定され、前記Ｕ型ブロック３２の右端にはＵＳＢケーブル３３が固定され、前記作業溝１３が円柱溝２９によって外部と連通し、前記円柱溝２９の端壁には螺旋溝３０が設けられ、前記螺旋溝３０の中には弧形ブロック２７がスライドできるように設けられ、前記弧形ブロック２７の右端には円柱溝２９を貫通する昇降ロッド２８が固定され、前記昇降ロッド２８の下端には前記支えブロック４８の間に位置する錐形ブロック３１が固定され、また、前記弧形ブロック２７が前記螺旋溝３０の中の運動によって前記錐形ブロック３１を昇降連動させることができる。
【００１６】
有益的には、前記首振り機構６１は移動軸４３を含み、前記横溝５４の中には移動ブロック４２がスライドできるように設けられ、前記移動ブロック４２と前記基盤４５との間が移動バネ５５によって固定的に連結され、前記移動ブロック４２の上端面には移動軸４３が回転できるように設けられ、前記移動軸４３の上端にはベルト４４と右側の三つの摩擦ブロック５０の摩擦により伝動される伝動プーリー４１が固定され、前記作業溝１３の上端面には定位軸２４が回転できるように設けられ、前記定位軸２４の下端には定位ブロック２５が固定され、前記定位ブロック２５の左端面には風吹きモータ２３が設けられ、前記風吹きモータ２３と前記Ｕ型ブロック３２とがロング電線２６により連通し、前記風吹きモータ２３の左端面にはファン軸１６が回転できるように設けられ、前記ファン軸１６には平行移動溝１８が設けられ、前記平行移動溝１８には環状ブロック２０がスライドできるように設けられ、前記環状ブロック２０の下端には支えロッド２２が固定され、前記支えロッド２２には運動溝１９が設けられ、前記運動溝１９には運動ブロック２１がスライドできるように設けられ、前記運動ブロック２１と前記移動ブロック４２とがＵ形ロッド１０によって固定し連結され、前記支えロッド２２の下端には溝ブロック１４が固定され、前記溝ブロック１４の中には首振り溝４０が設けられ、前記伝動プーリー４１の上端面には首振り溝４０を貫通する縦ロッド１１が設けられ、前記卓上扇風機台１２の左端面にはファンカバー１５が固定され、前記ファン軸１６の左端が前記ファンカバー１５の中に位置し、かつ前記ファン軸１６の左端には三つのファン１７が均一に固定され、また、前記縦ロッド１１が前記首振り溝４０の中の運動によって前記ファン軸１６を駆動し揺動させることができる。
【００１７】
以下、図１−４及び本願発明の自動首振り型ＵＳＢ卓上扇風機板の具体的な構成を参照して本発明の使用方法を紹介する：
【００１８】
ＵＳＢケーブル３３をＵＳＢポートの中に挿して装置に電力を提供し、Ｕ型ブロック３２とロング電線２６との伝導を提供し、風吹きモータ２３を通電させ、ファン軸１６を回転連動させ、ファン軸１６がファン１７を回転連動させ、ＵＳＢ卓上扇風機の風吹き機能を完成させ、首振りが必要の時には、絶縁ロッド３４を回転させ、カム３５を金属ブロック３７に接触させ、ショート電線３８の伝導を提供し、これにより首振りモータ５１を通電させ、これにより駆動軸５２を回転連動させ、摩擦ブロック５０を回転連動させ、ベルト４４の摩擦伝動により、伝動プーリー４１を回転連動させ、これにより縦ロッド１１を回転連動させ、縦ロッド１１が首振り溝４０の中の運動によってファン軸１６を回転連動させ、これによりＵＳＢ卓上扇風機の首振り機能を実現し、昇降ロッド２８を回転させ、弧形ブロック２７を螺旋溝３０の中に運動連動させ、錐形ブロック３１を上昇させて降下させることができ、これにより伝動プーリー４１と摩擦ブロック５０との速度伝達比を変え、これにより縦ロッド１１の回転速度を変えることによりＵＳＢ卓上扇風機の首振り速度を変える。
【００１９】
本発明の有益効果は：本装置は構造が簡単で、操作が便利であり、ＵＳＢ卓上扇風機の基本的な風吹き機能と首振り機能を満足させることと同時に、一定の範囲において好きなように首振りの速度を調節でき、これにより使用者にとって一番快適な首振り速度を達することができ、装置が更にユーザフレンドリーになり、使用者の生活品質を向上させる。
【００２０】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020176617.tif 000003
【図２】
2020176617.tif 000004
【図３】
2020176617.tif 000005
【図４】
2020176617.tif 000006
【手続補正書】
【提出日】令和1年7月26日(2019.7.26)
【手続補正１】
【補正対象書類名】特許請求の範囲
【補正対象項目名】全文
【補正方法】変更
【補正の内容】
【特許請求の範囲】
【請求項１】
卓上扇風機台を含み、前記卓上扇風機台の左側の中にはＵＳＢ卓上扇風機の首振り速度をコントロールする速度コントロール機構が設けられ、前記卓上扇風機台の右側の中にはＵＳＢ卓上扇風機の首振り機能を実現する首振り機構が設けられ、前記速度コントロール機構と前記首振り機構との間がベルトの摩擦により伝動され、前記速度コントロール機構はＵＳＢケーブル、錐形ブロックと六つの摩擦ブロックを含み、前記ＵＳＢケーブルが外部の電源に接続されて装置に電気を提供し、前記錐形ブロックの昇降によって前記摩擦ブロックを互いに近接させあるいは離れさせることができ、前記速度コントロール機構はカム、Ｕ型ブロックと金属ブロックも含み、前記カムが回転する時には常に前記Ｕ型ブロックとの接触導電を保持し、前記カムが一定の位置を回転すると前記金属ブロックとの回転により導電することができ、前記首振り機構は前記速度コントロール機構の左側に位置し、前記首振り機構は縦ロッド、首振り溝とファンを含み、前記縦ロッドが前記首振り溝の中の運動によって前記ファンを駆動し揺動させ、これにより首振り機能を実現し、前記摩擦ブロックが互いに近接するあるいは離れる時に前記首振り機構を引いて左右に運動させ、前記速度コントロール機構と前記首振り機構との距離がＵＳＢ卓上扇風機の首振り速度を決め、前記速度コントロール機構と前記首振り機構の中の風吹きモータと首振りモータの共同作用で本装置を作動させ
前記速度コントロール機構は首振りモータを含み、前記卓上扇風機台の中には作業溝が設けられ、前記作業溝の下端壁には横溝が設けられ、前記横溝の下端壁には基盤が固定され、前記基盤の上端面には駆動軸を持つ首振りモータが固定され、前記駆動軸の上端には円形ブロックが固定され、前記円形ブロックの上端面には六つの弾性溝が設けられ、前記左側の弾性溝の左端壁には弾性バネが固定され、前記弾性バネの右端には前記弾性溝とスライドできるように連結されたＴ型ブロックが固定され、前記Ｔ型ブロックの上端が前記作業溝の中に位置し、かつ前記Ｔ型ブロックの上端には支えブロックが固定され、前記支えブロックの上端面には伝動軸が回転できるように設けられ、前記伝動軸の上端には摩擦ブロックが固定され、
前記作業溝の右端壁の中には切替溝が設けられ、前記切替溝の左端壁には金属ブロックが植設され、前記金属ブロックと前記首振りモータとがショート電線によって連通され、前記金属ブロックの上側には前記卓上扇風機台の中に植設されたＵ型ブロックが設けられ、前記切替溝の左端壁にはカムが回転できるように設けられ、前記カムの右端には右端が外部に位置する絶縁ロッドが固定され、前記Ｕ型ブロックの右端にはＵＳＢケーブルが固定され、前記作業溝が円柱溝によって外部と連通し、前記円柱溝の端壁には螺旋溝が設けられ、前記螺旋溝の中には弧形ブロックがスライドできるように設けられ、前記弧形ブロックの右端には円柱溝を貫通する昇降ロッドが固定され、前記昇降ロッドの下端には前記支えブロックの間に位置する錐形ブロックが固定され、また、前記弧形ブロックが前記螺旋溝の中の運動によって前記錐形ブロックを昇降連動させることができ、
前記首振り機構は移動軸を含み、前記横溝の中には移動ブロックがスライドできるように設けられ、前記移動ブロックと前記基盤との間が移動バネによって固定的に連結され、前記移動ブロックの上端面には移動軸が回転できるように設けられ、前記移動軸の上端にはベルトと右側の三つの摩擦ブロックの摩擦により伝動される伝動プーリーが固定され、前記作業溝の上端面には定位軸が回転できるように設けられ、前記定位軸の下端には定位ブロックが固定され、前記定位ブロックの左端面には風吹きモータが設けられ、前記風吹きモータと前記Ｕ型ブロックとがロング電線により連通し、前記風吹きモータの左端面にはファン軸が回転できるように設けられ、前記ファン軸には平行移動溝が設けられ、前記平行移動溝には環状ブロックがスライドできるように設けられ、前記環状ブロックの下端には支えロッドが固定され、前記支えロッドには運動溝が設けられ、前記運動溝には運動ブロックがスライドできるように設けられ、前記運動ブロックと前記移動ブロックとがＵ形ロッドによって固定し連結され、前記支えロッドの下端には溝ブロックが固定され、前記溝ブロックの中には首振り溝が設けられ、前記伝動プーリーの上端面には首振り溝を貫通する縦ロッドが設けられ、前記卓上扇風機台の左端面にはファンカバーが固定され、前記ファン軸の左端が前記ファンカバーの中に位置し、かつ前記ファン軸の左端には三つのファンが固定され、また、前記縦ロッドが前記首振り溝の中の運動によって前記ファン軸を駆動し揺動させることができることを特徴とする自動首振り型ＵＳＢ卓上扇風機。
【手続補正２】
【補正対象書類名】明細書
【補正対象項目名】全文
【補正方法】変更
【補正の内容】
【発明の詳細な説明】
【技術分野】
【０００１】
本発明は小型家電製品分野を取り上げて、具体的には自動首振り型ＵＳＢ卓上扇風機である。
【背景技術】
【０００２】
ＵＳＢ卓上扇風機はＵＳＢ伝送技術を利用する携帯型扇風機であり、パソコンに挿して温度を下げることに使うことが多く、しかし現在のＵＳＢ卓上扇風機の首振りは一つのモードしかなく、デザインがユーザフレンドリーではなく、現在の高い生活品質への求めに適しない。
【先行技術文献】
【特許文献】
【０００３】
【特許文献１】中国特許出願公開第１０６５５５７６９号明細書
【発明の概要】
【発明が解決しようとする課題】
【０００４】
本発明の目的は自動首振り型ＵＳＢ卓上扇風機を提供し、それは上記の現在の技術中の問題を解決できる。
【課題を解決するための手段】
【０００５】
上記の課題を解決するため、本発明は以下の技術プランを採用する：自動首振り型ＵＳＢ卓上扇風機は、卓上扇風機台を含み、前記卓上扇風機台の左側の中にはＵＳＢ卓上扇風機の首振り速度をコントロールする速度コントロール機構が設けられ、前記卓上扇風機台の右側の中にはＵＳＢ卓上扇風機の首振り機能を実現する首振り機構が設けられ、前記速度コントロール機構と前記首振り機構との間がベルトの摩擦により伝動され、前記速度コントロール機構はＵＳＢケーブル、錐形ブロックと六つの摩擦ブロックを含み、前記ＵＳＢケーブルが外部の電源に接続されて装置に電気を提供し、前記錐形ブロックの昇降によって前記摩擦ブロックを互いに近接させあるいは離れさせることができ、前記速度コントロール機構はカム、Ｕ型ブロックと金属ブロックも含み、前記カムが回転する時には常に前記Ｕ型ブロックとの接触導電を保持し、前記カムが一定の位置を回転すると前記金属ブロックとの回転により導電することができ、前記首振り機構は前記速度コントロール機構の左側に位置し、前記首振り機構は縦ロッド、首振り溝とファンを含み、前記縦ロッドが前記首振り溝の中の運動によって前記ファンを駆動し揺動させ、これにより首振り機能を実現し、前記摩擦ブロックが互いに近接するあるいは離れる時に前記首振り機構を引いて左右に運動させ、前記速度コントロール機構と前記首振り機構との距離がＵＳＢ卓上扇風機の首振り速度を決め、前記速度コントロール機構と前記首振り機構の中の風吹きモータと首振りモータの共同作用で本装置を作動させる。
【０００６】
優選の技術プランとして、前記速度コントロール機構は首振りモータを含み、前記卓上扇風機台の中には作業溝が設けられ、前記作業溝の下端壁には横溝が設けられ、前記横溝の下端壁には基盤が固定され、前記基盤の上端面には駆動軸を持つ首振りモータが固定され、前記駆動軸の上端には円形ブロックが固定され、前記円形ブロックの上端面には六つの弾性溝が設けられ、前記左側の弾性溝の左端壁には弾性バネが固定され、前記弾性バネの右端には前記弾性溝とスライドできるように連結されたＴ型ブロックが固定され、前記Ｔ型ブロックの上端が前記作業溝の中に位置し、かつ前記Ｔ型ブロックの上端には支えブロックが固定され、前記支えブロックの上端面には伝動軸が回転できるように設けられ、前記伝動軸の上端には摩擦ブロックが固定される。
【０００７】
前記作業溝の右端壁の中には切替溝が設けられ、前記切替溝の左端壁には金属ブロックが植設され、前記金属ブロックと前記首振りモータとがショート電線によって連通され、前記金属ブロックの上側には前記卓上扇風機台の中に植設されたＵ型ブロックが設けられ、前記切替溝の左端壁にはカムが回転できるように設けられ、前記カムの右端には右端が外部に位置する絶縁ロッドが固定され、前記Ｕ型ブロックの右端にはＵＳＢケーブルが固定され、前記作業溝が円柱溝によって外部と連通し、前記円柱溝の端壁には螺旋溝が設けられ、前記螺旋溝の中には弧形ブロックがスライドできるように設けられ、前記弧形ブロックの右端には円柱溝を貫通する昇降ロッドが固定され、前記昇降ロッドの下端には前記支えブロックの間に位置する錐形ブロックが固定され、また、前記弧形ブロックが前記螺旋溝の中の運動によって前記錐形ブロックを昇降連動させることができる。
【０００８】
優選の技術プランとして、前記首振り機構は移動軸を含み、前記横溝の中には移動ブロックがスライドできるように設けられ、前記移動ブロックと前記基盤との間が移動バネによって固定的に連結され、前記移動ブロックの上端面には移動軸が回転できるように設けられ、前記移動軸の上端にはベルトと右側の三つの摩擦ブロックの摩擦により伝動される伝動プーリーが固定され、前記作業溝の上端面には定位軸が回転できるように設けられ、前記定位軸の下端には定位ブロックが固定され、前記定位ブロックの左端面には風吹きモータが設けられ、前記風吹きモータと前記Ｕ型ブロックとがロング電線により連通し、前記風吹きモータの左端面にはファン軸が回転できるように設けられ、前記ファン軸には平行移動溝が設けられ、前記平行移動溝には環状ブロックがスライドできるように設けられ、前記環状ブロックの下端には支えロッドが固定され、前記支えロッドには運動溝が設けられ、前記運動溝には運動ブロックがスライドできるように設けられ、前記運動ブロックと前記移動ブロックとがＵ形ロッドによって固定し連結され、前記支えロッドの下端には溝ブロックが固定され、前記溝ブロックの中には首振り溝が設けられ、前記伝動プーリーの上端面には首振り溝を貫通する縦ロッドが設けられ、前記卓上扇風機台の左端面にはファンカバーが固定され、前記ファン軸の左端が前記ファンカバーの中に位置し、かつ前記ファン軸の左端には三つのファンが固定され、また、前記縦ロッドが前記首振り溝の中の運動によって前記ファン軸を駆動し揺動させることができる。
【発明の効果】
【０００９】
本装置は構造が簡単で、操作が便利であり、ＵＳＢ卓上扇風機の基本的な風吹き機能と首振り機能を満足させることと同時に、一定の範囲において好きなように首振りの速度を調節でき、これにより使用者にとって一番快適な首振り速度を達することができ、装置が更にユーザフレンドリーになり、使用者の生活品質を向上させる。
【図面の簡単な説明】
【００１０】
以下、図１−４を合わせて本発明について詳しく説明し、また、説明の便利を図るため、下記に記載の上下左右前後方向が図１自身の投影関係の上下左右前後方向と一致することにする。
【００１１】
【図１】図１は本発明の自動首振り型ＵＳＢ卓上扇風機の全体断面正面構成略図
【図２】図２は本発明の自動首振り型ＵＳＢ卓上扇風機の円形ブロックの拡大構成略図
【図３】図３は図２のＡ−Ａの構成略図
【図４】図４は図１のＢ−Ｂの構成略図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
図１−４を参照し、本発明が提供する実施例：自動首振り型ＵＳＢ卓上扇風機は、卓上扇風機台１２を含み、前記卓上扇風機台１２の左側の中にはＵＳＢ卓上扇風機の首振り速度をコントロールする速度コントロール機構６０が設けられ、前記卓上扇風機台１２の右側の中にはＵＳＢ卓上扇風機の首振り機能を実現する首振り機構６１が設けられ、前記速度コントロール機構６０と前記首振り機構６１との間がベルト４４の摩擦により伝動され、前記速度コントロール機構６０はＵＳＢケーブル３３、錐形ブロック３１と六つの摩擦ブロック５０を含み、前記ＵＳＢケーブル３３が外部の電源に接続されて装置に電気を提供し、前記錐形ブロック３１の昇降によって前記摩擦ブロック５０を互いに近接させあるいは離れさせることができ、前記速度コントロール機構６０はカム３５、Ｕ型ブロック３２と金属ブロック３７も含み、前記カム３５が回転する時には常に前記Ｕ型ブロック３２との接触導電を保持し、前記カム３５が一定の位置を回転すると前記金属ブロック３７との回転により導電することができ、前記首振り機構６１は前記速度コントロール機構６０の左側に位置し、前記首振り機構６１は縦ロッド１１、首振り溝４０とファン１７を含み、前記縦ロッド１１が前記首振り溝４０の中の運動によって前記ファン１７を駆動し揺動させ、これにより首振り機能を実現し、前記摩擦ブロック５０が互いに近接するあるいは離れる時に前記首振り機構６１を引いて左右に運動させ、前記速度コントロール機構６０と前記首振り機構６１との距離がＵＳＢ卓上扇風機の首振り速度を決め、前記速度コントロール機構６０と前記首振り機構６１の中の風吹きモータ２３と首振りモータ５１の共同作用で本装置を作動させる。
【００１４】
有益的には、前記速度コントロール機構６０は首振りモータ５１を含み、前記卓上扇風機台１２の中には作業溝１３が設けられ、前記作業溝１３の下端壁には横溝５４が設けられ、前記横溝５４の下端壁には基盤４５が固定され、前記基盤４５の上端面には駆動軸５２を持つ首振りモータ５１が固定され、前記駆動軸５２の上端には円形ブロック３９が固定され、前記円形ブロック３９の上端面には六つの弾性溝４７が設けられ、前記左側の弾性溝４７の左端壁には弾性バネ４６が固定され、前記弾性バネ４６の右端には前記弾性溝４７とスライドできるように連結されたＴ型ブロック５３が固定され、前記Ｔ型ブロック５３の上端が前記作業溝１３の中に位置し、かつ前記Ｔ型ブロック５３の上端には支えブロック４８が固定され、前記支えブロック４８の上端面には伝動軸４９が回転できるように設けられ、前記伝動軸４９の上端には摩擦ブロック５０が固定される。
【００１５】
前記作業溝１３の右端壁の中には切替溝３６が設けられ、前記切替溝３６の左端壁には金属ブロック３７が植設され、前記金属ブロック３７と前記首振りモータ５１とがショート電線３８によって連通され、前記金属ブロック３７の上側には前記卓上扇風機台１２の中に植設されたＵ型ブロック３２が設けられ、前記切替溝３６の左端壁にはカム３５が回転できるように設けられ、前記カム３５の右端には右端が外部に位置する絶縁ロッド３４が固定され、前記Ｕ型ブロック３２の右端にはＵＳＢケーブル３３が固定され、前記作業溝１３が円柱溝２９によって外部と連通し、前記円柱溝２９の端壁には螺旋溝３０が設けられ、前記螺旋溝３０の中には弧形ブロック２７がスライドできるように設けられ、前記弧形ブロック２７の右端には円柱溝２９を貫通する昇降ロッド２８が固定され、前記昇降ロッド２８の下端には前記支えブロック４８の間に位置する錐形ブロック３１が固定され、また、前記弧形ブロック２７が前記螺旋溝３０の中の運動によって前記錐形ブロック３１を昇降連動させることができる。
【００１６】
有益的には、前記首振り機構６１は移動軸４３を含み、前記横溝５４の中には移動ブロック４２がスライドできるように設けられ、前記移動ブロック４２と前記基盤４５との間が移動バネ５５によって固定的に連結され、前記移動ブロック４２の上端面には移動軸４３が回転できるように設けられ、前記移動軸４３の上端にはベルト４４と右側の三つの摩擦ブロック５０の摩擦により伝動される伝動プーリー４１が固定され、前記作業溝１３の上端面には定位軸２４が回転できるように設けられ、前記定位軸２４の下端には定位ブロック２５が固定され、前記定位ブロック２５の左端面には風吹きモータ２３が設けられ、前記風吹きモータ２３と前記Ｕ型ブロック３２とがロング電線２６により連通し、前記風吹きモータ２３の左端面にはファン軸１６が回転できるように設けられ、前記ファン軸１６には平行移動溝１８が設けられ、前記平行移動溝１８には環状ブロック２０がスライドできるように設けられ、前記環状ブロック２０の下端には支えロッド２２が固定され、前記支えロッド２２には運動溝１９が設けられ、前記運動溝１９には運動ブロック２１がスライドできるように設けられ、前記運動ブロック２１と前記移動ブロック４２とがＵ形ロッド１０によって固定し連結され、前記支えロッド２２の下端には溝ブロック１４が固定され、前記溝ブロック１４の中には首振り溝４０が設けられ、前記伝動プーリー４１の上端面には首振り溝４０を貫通する縦ロッド１１が設けられ、前記卓上扇風機台１２の左端面にはファンカバー１５が固定され、前記ファン軸１６の左端が前記ファンカバー１５の中に位置し、かつ前記ファン軸１６の左端には三つのファン１７が固定され、また、前記縦ロッド１１が前記首振り溝４０の中の運動によって前記ファン軸１６を駆動し揺動させることができる。
【００１７】
以下、図１−４及び本願発明の自動首振り型ＵＳＢ卓上扇風機板の具体的な構成を参照して本発明の使用方法を紹介する：
【００１８】
ＵＳＢケーブル３３をＵＳＢポートの中に挿して装置に電力を提供し、Ｕ型ブロック３２とロング電線２６との伝導を提供し、風吹きモータ２３を通電させ、ファン軸１６を回転連動させ、ファン軸１６がファン１７を回転連動させ、ＵＳＢ卓上扇風機の風吹き機能を完成させ、首振りが必要の時には、絶縁ロッド３４を回転させ、カム３５を金属ブロック３７に接触させ、ショート電線３８の伝導を提供し、これにより首振りモータ５１を通電させ、これにより駆動軸５２を回転連動させ、摩擦ブロック５０を回転連動させ、ベルト４４の摩擦伝動により、伝動プーリー４１を回転連動させ、これにより縦ロッド１１を回転連動させ、縦ロッド１１が首振り溝４０の中の運動によってファン軸１６を回転連動させ、これによりＵＳＢ卓上扇風機の首振り機能を実現し、昇降ロッド２８を回転させ、弧形ブロック２７を螺旋溝３０の中に運動連動させ、錐形ブロック３１を上昇させて降下させることができ、これにより伝動プーリー４１と摩擦ブロック５０との速度伝達比を変え、これにより縦ロッド１１の回転速度を変えることによりＵＳＢ卓上扇風機の首振り速度を変える。
【００１９】
本発明の有益効果は：本装置は構造が簡単で、操作が便利であり、ＵＳＢ卓上扇風機の基本的な風吹き機能と首振り機能を満足させることと同時に、一定の範囲において好きなように首振りの速度を調節でき、これにより使用者にとって一番快適な首振り速度を達することができ、装置が更にユーザフレンドリーになり、使用者の生活品質を向上させる。
【００２０】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。